【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
当該シャンクの内側表面の予め定められた位置に複数の標識を有するシャンク
を備え、
前記複数の標識は、複数の宝石をセットするための複数の好ましい位置を特定していることを特徴とする指輪。
【請求項２】
前記複数の好ましい位置は、前記複数の宝石の数及びサイズに基づいている
ことを特徴とする請求項１に記載の指輪。
【請求項３】
前記複数の宝石の前記複数の好ましい位置は、予め定められたパターンに基づいていることを特徴とする請求項１に記載の指輪。
【請求項４】
前記予め定められたパターンは、第１サイズの４個の宝石と、より大きいサイズの５個目の宝石と、を含んでおり、当該パターンが繰り返される
ことを特徴とする請求項３に記載の指輪。
【請求項５】
前記予め定められたパターンは、１つのサイズの複数の宝石を含んでいる
ことを特徴とする請求項３に記載の指輪。
【請求項６】
前記複数の好ましい位置は、前記シャンクの内側表面に沿って、等間隔に離れている
ことを特徴とする請求項１に記載の指輪。
【請求項７】
前記複数の好ましい位置は、当該指輪のサイズに基づいている
ことを特徴とする請求項１に記載の指輪。
【請求項８】
前記複数の好ましい位置は、前記シャンクの内側表面に沿って、対称的に離れている
ことを特徴とする請求項１に記載の指輪。
【請求項９】
前記複数の標識は、前記複数の宝石のサイズを特定している
ことを特徴とする請求項１に記載の指輪。
【請求項１０】
前記複数の標識は、円形状を有している
ことを特徴とする請求項１に記載の指輪。
【請求項１１】
前記複数の標識は、前記シャンクの内側表面に沿った複数の窪みである
ことを特徴とする請求項１に記載の指輪。
【請求項１２】
前記複数の標識は、前記シャンクの内側表面に沿った複数の窪みであり、
当該複数の窪みは、セットされる複数の宝石を収容するのに十分に大きく且つ深い
ことを特徴とする請求項１に記載の指輪。
【請求項１３】
前記シャンクの内側表面において前記複数の好ましい位置にセットされた複数の宝石
を更に備えたことを特徴とする請求項１に記載の指輪。
【請求項１４】
当該宝石のテーブル面が前記シャンクの内側表面と実質的に同じ高さになるように、前記シャンクの内側表面において前記複数の好ましい位置にセットされた複数の宝石
を更に備えたことを特徴とする請求項１に記載の指輪。
【請求項１５】
前記シャンクの内側表面において前記複数の好ましい位置にセットされた複数の宝石
を更に備え、
前記複数の宝石は、当該指輪が指に嵌められたとき不可視である
ことを特徴とする請求項１に記載の指輪。
【請求項１６】
前記シャンクの内側表面において標識及び宝石が存在しない領域
を更に備え、
当該領域は、情報を収容するようなサイズに形成されている
ことを特徴とする請求項１に記載の指輪。
【請求項１７】
前記情報は、文字、数字または商標である
ことを特徴とする請求項１６に記載の指輪。
【請求項１８】
当該指輪は、バンドリングである
ことを特徴とする請求項１に記載の指輪。
【請求項１９】
ａ）予め定められたパターンに基づいて当該指輪のシャンクの内側表面に複数の宝石を配置するための複数の位置を決定する工程と、
ｂ）そのような複数の宝石のための予め定められた複数の位置を特定するために、前記シャンクの内側表面に複数の標識を作成する工程と、
を備えたことを特徴とする指輪を拡張する方法。
【請求項２０】
ａ）工程は、前記複数の位置にセットされるべき複数の宝石のサイズに基づいて当該複数の位置を決定する工程を更に有する
ことを特徴とする請求項１９に記載の方法。
【請求項２１】
ａ）工程は、複数の宝石の数及びサイズに基づいて当該宝石を配置するための前記複数の位置を確立するための計算を行う工程を更に有する
ことを特徴とする請求項１９に記載の方法。
【請求項２２】
ａ）工程は、指輪のサイズに基づいて前記複数の位置を決定する工程を更に有する
ことを特徴とする請求項１９に記載の方法。
【請求項２３】
前記予め定められたパターンは、第１サイズの４個の宝石と、より大きいサイズの５個目の宝石と、を含んでおり、当該予め定められたパターンは少なくとも１回繰り返されることを特徴とする請求項１９に記載の方法。
【請求項２４】
ａ）工程は、前記複数の位置にセットされるべき複数の宝石の数、当該複数の宝石のサイズ、及び、当該複数の宝石間の間隔、に基づいて当該複数の宝石を配置するための前記複数の位置を決定する工程を更に有する
ことを特徴とする請求項１９に記載の方法。
【請求項２５】
前記複数の位置は、前記シャンクの内側表面に沿って、等間隔に離れている
ことを特徴とする請求項１９に記載の方法。
【請求項２６】
前記複数の位置は、前記シャンクの内側表面に沿って等間隔に離れており、当該シャンクの内側表面は、標識及び宝石が存在しない領域を含み、当該領域は、文字または商標のような情報マーキングを収容するようなサイズに形成されている
ことを特徴とする請求項１９に記載の方法。
【請求項２７】
前記複数の位置は、前記シャンクの内側表面に沿って、比例的に離れている
ことを特徴とする請求項１９に記載の方法。
【請求項２８】
前記複数の位置は、前記シャンクの内側表面に沿って、対称的に離れている
ことを特徴とする請求項１９に記載の方法。
【請求項２９】
前記複数の標識は、前記複数の宝石のサイズを特定している
ことを特徴とする請求項１９に記載の方法。
【請求項３０】
前記複数の標識は、円形状を有している
ことを特徴とする請求項１９に記載の方法。
【請求項３１】
前記複数の標識は、前記シャンクにおける複数の窪みである
ことを特徴とする請求項１９に記載の方法。
【請求項３２】
前記複数の標識は、前記シャンクにおける複数の窪みであり、
当該複数の窪みは、セットされる複数の宝石を収容するのに十分に大きく且つ深い
ことを特徴とする請求項１９に記載の方法。
【請求項３３】
ｃ）前記複数の窪みに前記複数の宝石を挿入及びセッティングする工程、
を更に備えたことを特徴とする請求項３２に記載の方法。
【請求項３４】
ｃ）前記複数の標識によって特定された前記複数の位置において前記シャンクに前記複数の宝石を挿入及びセッティングする工程、
を更に備えたことを特徴とする請求項１９に記載の方法。
【請求項３５】
ｂ）工程は、ＣＮＣ機械によって行われる
ことを特徴とする請求項１９に記載の方法。
【請求項３６】
ｂ）工程は、レーザによって行われる
ことを特徴とする請求項１９に記載の方法。
【請求項３７】
ｂ）工程は、前記シャンクをマーキングする工程と、前記シャンクを清掃する工程と、必要に応じて繰り返す工程と、を有するプロセスによって行われる
ことを特徴とする請求項１９に記載の方法。
【請求項３８】
マーキングする工程は、除去する、彫刻する、掘削する、又は、引掻く、のうち１つ又は２つ以上を含む
ことを特徴とする請求項３７に記載の方法。
【請求項３９】
前記複数の宝石は、前記指輪が指に嵌められたとき不可視である
ことを特徴とする請求項１９に記載の方法。
【請求項４０】
ｂ）工程は、前記シャンクを除去する、彫刻する、掘削する、又は、引掻く、のうち１つ又は２つ以上を含む
ことを特徴とする請求項１９に記載の方法。
【請求項４１】
ａ）その内側表面に複数の標識を有していると共に、当該複数の標識は予め定められたパターンに基づいて複数の宝石を配置するための複数の位置を決定している、という指輪を受け取る工程と、
ｂ）対応する１つの位置に１つの宝石をセッティングする工程と、
を備えたことを特徴とする、指輪を加増装飾する（グレードアップする）方法。